(57)【要約】【課題】  多機能型振動アクチュエータの薄型化に伴うダイアフラムの後方容積減少に際して、ハウジング内径によって決定していたダイアフラム径を調整可能にすることで、後方容積に合わせた音響特性の改善が可能な薄型の多機能型振動アクチュエータを提供する。【解決手段】  グリルを介してダイアフラムをハウジングに取り付ける構造を用いたことで、グリルによる音響特性の最適化が可能となった。加えて、ハウジングに関して、下面方向に放音孔を設けることが出来る為、薄型化という効果をも得ることができた。【選択図】  図１
2010021609.tif 000002
【特許請求の範囲】
【請求項１】
筒型形状を有するハウジング開口部内周に段部を有する板状のグリルを設け、前記段部にダイアフラムを取り付けた、ダイナミック構造の多機能型振動アクチュエータ。
【請求項２】
前記ダイアフラムがグリル下面に固定されている、請求項１記載の多機能型振動アクチュエータ。
【請求項３】
前記ハウジングがグリル下面に対向した放音孔を有している、請求項１又は２に記載の多機能型振動アクチュエータ。
【発明の詳細な説明】
【技術分野】
【０００１】
現在、携帯電話に代表される移動体通信機器は、音響再生ではなく体感振動によって着信を使用者に報知するマナーモードに対応しており、音響再生によって報知する場合と使い分けるために音響再生と体感振動発生の両方の機能を備えている物が多数を占めている。
【０００２】
このような機能について、近年では実登２５７０９２３（以下特許文献１として記載）として登録されたダイナミック型の構造に代表される多機能型振動アクチュエータを搭載した携帯電話があり、音響再生と体感振動の両機能を単一のデバイスにまとめた構成を用いている。
【０００３】
前記特許文献１では、マグネットを有する磁気回路部を弾性的に支持し、該マグネットに対応してボイスコイルを取り付けたダイアフラムを設けている。この為、ボイスコイルへの入力周波数を切り替えることでダイアフラムによる音響再生と、磁気回路部の振動による体感振動の発生を行うことを可能としている。
【０００４】
加えて、実公昭６３−００５３４６（以下特許文献２として記載）に代表されるグリル構造を併用することで、組立の容易化と組立時のボイスコイル保護という効果をも得ることができる。
【０００５】
【特許文献１】実登２５７０９２３
【特許文献２】実公昭６３−００５３４６
【発明の開示】
【発明が解決しようとする課題】
【０００６】
しかしながら、前記特許文献２に記載の構造を特許文献１記載の多機能型振動アクチュエータに組み込む場合、ガイド部分の追加によってハウジング径が拡大してしまうという問題があった。
【０００７】
加えて、スピーカではキャビネットによって確保出来ていた音源に対する後方容積が、多機能型振動アクチュエータの場合はハウジングの容積に制限されてしまう為に、ハウジング内の後方容積に合わせてダイアフラム径を変えていかなければならないという問題をも有している。
【０００８】
また、特許文献２に記載されたグリルの外周から下方にガイドを設ける構造を特許文献１に記載の多機能型振動アクチュエータに用いると、ヨークに直接ダイアフラムを設けた構造となる。この為、前記従来技術を組み合わせた多機能型振動アクチュエータはその構造上、ハウジング径に対してボイスコイル径が極端に制限されてしまうという問題がある。
【０００９】
以上述べた問題に鑑み、本発明では全体の寸法を維持した状態での組立時のボイスコイル保護と、後方容積に対する音響特性の調整を容易にすることを目的としている。
【課題を解決するための手段】
【００１０】
前記目的のため、請求項１に記載の発明では板状のグリルを介して、ダイアフラムをハウジングに設けた段部に固定した構造を用いている。この為、ハウジングへのダイアフラム組込時にグリルの外周がガイドとして機能し、マグネットを備えた磁気回路部に対するダイアフラムの位置決めを容易に行うことができる。
【００１１】
また、グリルを介してダイアフラムを取り付けた構造の為、グリル側に取り付けたダイアフラムの径を変えることで音響特性を調整することができ、ハウジングの形状を変えることなく、後方容積に応じた音響特性に調整する事が可能となる。
【００１２】
また、板状のグリルに段差を設けてダイアフラムを取り付けた構造の為、ハウジングに対するグリルの固着箇所と、グリルに対するダイアフラムの固着位置とを分けた構造とすることができる。この為、ダイアフラムの厚み形状に合わせてグリルの段部を調整し、ダイアフラムの後方容積にグリルの厚み部分の空間を加えることができる。
【００１３】
また、請求項２に記載の発明では上記述べた構造による効果に加えて、ダイアフラムをグリル下面に固定した事を特徴としている。この為、上面に設けた場合と比較してボイスコイルの引き出し線をダイアフラムとグリルとの貼り付け面に配置する必要が無くなり、ダイアフラムの固着部分が片面の取付構造でも平坦な外縁支持による安定した音響特性を得ることが可能となっている。
【００１４】
また、ダイアフラムをグリル片面に固定した構造を用いたことで、グリル形状によってダイアフラムの有効径を調整する事が可能となる。この為、要求する音響特性に対する最適化を容易に行うことができる。
【００１５】
また、請求項３に記載の発明ではハウジングがグリル下面に対向して放音孔を設けた構造を特徴としている。この為、従来のカバー側面に放音孔を設けて円筒形状に構成していたダイアフラムの後方容積を、側面に放音孔を設ける必要の無い、簡単な構成で確保することが可能となる。
【００１６】
上記述べた効果に加えて、本発明に記載の多機能型振動アクチュエータはダイナミック型の駆動構造を用いている。この為、駆動源であるマグネットの重量を体感振動時の振動量に付加することができる。
【実施例】
【００１７】
以下に、図１〜５を用いて本発明に於ける最良の実施形態を示す。図１に本実施例に於いて用いる多機能型振動アクチュエータの斜視図を、図２及び図３に図１に於けるA-A'断面及びB-B'断面の側断面図を、図４に図１に於いて示した多機能型振動アクチュエータの分解斜視図を、そして図５に底面図をそれぞれ示す。
【００１８】
図１に示した斜視図から解るように、本実施例では円筒形のハウジング８に板状のグリル１を設けた構成となっている。この為、グリル１を交換することによってダイアフラム２の有効径を調整することが可能となり、音響特性の最適化を容易に行う事ができた。
【００１９】
また、図２、図３に示した側断面図及び図４に於いて示した分解斜視図から解るように、本実施例に於いて用いた多機能型振動アクチュエータは、ボイスコイル３を取り付けたダイアフラム２によって音響再生部を、ポールピース４とヨーク６との間にマグネット５を挟んで構成した磁気回路部を、それぞれ構成している。加えて、ボイスコイル３を磁気空隙ｇに配置するように、インサート成形したサスペンション７を介して前記磁気回路部を弾性支持し、給電端子１０を介してボイスコイル３に駆動信号を入力することで、音響再生部の振動による音響再生と磁気回路部の振動による体感振動との両機能を単一のデバイスで発生する構造となっている。
【００２０】
この為、使用する移動体通信機器に於いて、従来の振動発生用デバイスと音響再生用デバイスとを個別に搭載していた構成よりも部品点数を減らし、機器全体としての小型化を容易に行うことができた。
【００２１】
また、図２及び図３に示した側断面図から解るように、本実施例に記載の多機能型振動アクチュエータでは、段部を設けた板状のグリル１を介してハウジング８にダイアフラム２を取り付けた構造となっている。
【００２２】
この為、ハウジング８の低背化に伴うダイアフラム２の後方容積減少に際しても、ダイアフラム２の径を縮小することで音響特性の最適化を図ることが可能となった。また、グリル側にダイアフラム接着面を設けたことでダイアフラム２の取付面に関する自由度を増やすことができた。
【００２３】
また、段部を用いたことで、ハウジング−グリル間とグリル−ダイアフラム間での接着面を別々に構成することが可能となった。この為、組立時に於けるハウジングからダイアフラムへの接着剤の流入を防ぎ、グリルからダイアフラムへの接着剤の流入が無い事を確認してからハウジングにグリルを取り付けることができた。
【００２４】
また、ダイアフラム２の貼り付け面に関しても、ハウジングに直接接着面を形成していた従来の多機能型振動アクチュエータと比較して、ハウジング−ダイアフラム間にボイスコイル３のリード線を配置する為の凹部を設ける必要が無い為、固着部分が片面の取付構造でもフラットなダイアフラムの接着面による安定した音響特性を得ることが可能となった。
【００２５】
また、本実施例記載の多機能型振動アクチュエータではハウジング８内壁に、ヨーク外周に対応したストッパ部ｄを設けることで、落下等の衝撃を受けた際にボイスコイル３とヨーク６とが接触するのを防いでいる。また、サスペンション７をインサート成形とすることで、磁気回路部の支持を強固なものとし、全体として耐衝撃性に優れた構造とすることができた。
【００２６】
また、図５に示した底面図から解るように、本実施例に於いて用いた多機能型振動アクチュエータではハウジング８下面に向けて放音孔ｅを設けた構造となっている。この為、従来のカバー側面に放音孔を設けて円筒形状に構成していたダイアフラムの後方容積を、側面に放音孔を設ける必要の無い、簡単な構成で確保することが可能となる。
【００２７】
上記述べた効果に加えて、本実施例に記載の多機能型振動アクチュエータでは、ダイアフラム表面にＶ溝ｃを設けた構造を有しており、ダイアフラム２の剛性向上による音響特性の改良という効果をも得ている。
【００２８】
以上述べたように、本実施例に記載の構造を用いることで、薄型化に伴う後方容積の減少に際して、ダイアフラム径の調整が容易であり、グリル外縁がハウジングに対するガイドとして機能する事による組立時のボイスコイル保護が可能な多機能型振動アクチュエータを得ることができた。
【図面の簡単な説明】
【００２９】
【図１】本発明の最良の実施形態に於ける全体斜視図
【図２】図１のA-A'断面に於ける側断面図
【図３】図１のB-B'断面に於ける側断面図
【図４】本発明の最良の実施形態に於ける分解斜視図
【図５】本発明の最良の実施形態に於ける底面図
【符号の説明】
【００３０】
１    グリル
２    ダイアフラム
３    ボイスコイル
４    ポールピース
５    マグネット
６    ヨーク
７    サスペンション
８    ハウジング
９    カバー
１０    端子用基板
ｃ    V溝
ｄ    ストッパ部
ｅ    放音孔
ｇ    磁気空隙
【図１】
2010021609.tif 000003
【図２】
2010021609.tif 000004
【図３】
2010021609.tif 000005
【図４】
2010021609.tif 000006
【図５】
2010021609.tif 000007